(57)【要約】【課題】原稿の読取を開始するまでの時間を短縮する画像読取装置を提供する。【解決手段】原稿カバーの開状態が検知されたことに応じて、原稿台上に載置される原稿の画像を読み取り可能な読取部の読取結果から原稿台上の原稿のサイズを検出する。原稿のサイズの検出がなされた後、読取部を読取待機位置へ移動させる。【選択図】図７
2018037984.tif 000002
【特許請求の範囲】
【請求項１】
原稿台上に載置される原稿の画像を読み取り可能な読取手段と、
原稿台を覆う原稿カバーの開閉状態を検知する開閉検知手段と、
前記開閉検知手段によって前記原稿カバーの開状態が検知されたことに応じて、前記読取手段の読取結果から前記原稿台上の原稿のサイズを検出する検出手段と、
前記検出手段により前記原稿のサイズを検出するサイズ検出位置と、読取待機位置とに前記読取手段を移動可能であって、前記検出手段によるサイズの検出がなされた後、前記読取手段を前記サイズ検出位置から前記読取待機位置へ移動させる移動手段と、
を備えることを特徴とする画像読取装置。
【請求項２】
前記原稿の読取指示を受け付ける受付手段を更に備え、
前記移動手段は、前記受付手段により前記読取指示を受け付ける前に前記読取手段を前記読取待機位置へ移動させ、前記受付手段により前記読取指示を受け付けると、前記読取手段を前記読取待機位置から移動させて前記原稿を読み取らせる、
ことを特徴とする請求項１に記載の画像読取装置。
【請求項３】
前記移動手段は、前記開閉検知手段によって前記原稿カバーの開状態が検知されると、前記読取手段を前記原稿台上の読取領域上の前記サイズ検出位置に移動させ、
前記検出手段は、前記サイズ検出位置における前記読取手段の読取結果から前記原稿のサイズの検出を開始する、
ことを特徴とする請求項１又は２に記載の画像読取装置。
【請求項４】
前記検出手段は、前記読取手段の移動方向に並んで配置されているセンサの検知結果と、前記読取手段のイメージセンサの検知結果と、に基づいて、前記原稿のサイズを検出することを特徴とする請求項１乃至３のいずれか１項に記載の画像読取装置。
【請求項５】
前記検出手段は、前記原稿の有無による前記イメージセンサの検知結果の変化に基づいて、前記原稿のサイズを検出することを特徴とする請求項４に記載の画像読取装置。
【請求項６】
前記検出手段は、前記読取手段によって検出される外来光の光量に基づいて、前記原稿のサイズを検出することを特徴とする請求項１に記載の画像読取装置。
【請求項７】
前記読取待機位置は、前記原稿台上の読取領域外にあることを特徴とする請求項１乃至６のいずれか１項に記載の画像読取装置。
【請求項８】
前記読取手段は、ライン型イメージセンサであることを特徴とする請求項１乃至７のいずれか１項に記載の画像読取装置。
【請求項９】
請求項１乃至８のいずれか１項に記載の画像読取装置と、
前記原稿を読み取ったデータに基づいて、記録媒体への記録を行う記録手段と、
を備えることを特徴とする画像形成装置。
【請求項１０】
画像読取装置において実行される制御方法であって、
原稿台を覆う原稿カバーの開閉状態を検知する開閉検知工程と、
前記開閉検知工程において前記原稿カバーの開状態が検知されたことに応じて、前記原稿台上に載置される原稿の画像を読み取り可能な読取手段の読取結果から前記原稿台上の原稿のサイズを検出する検出工程と、
前記検出工程において前記原稿のサイズを検出するサイズ検出位置と、読取待機位置とに前記読取手段を移動可能であって、前記検出工程におけるサイズの検出がなされた後、前記読取手段を前記サイズ検出位置から前記読取待機位置へ移動させる移動工程と、
を有することを特徴とする制御方法。
【発明の詳細な説明】
【技術分野】
【０００１】
本発明は、原稿画像を読み取る画像読取装置、画像形成装置、および制御方法に関する。
【背景技術】
【０００２】
従来、原稿読取装置では、原稿サイズや原稿の有無を自動で検出する機能を備えたものが一般的に用いられている。従来、原稿のサイズ検出方法として、原稿読取用のＣＣＤ（Ｃｈａｒｇｅ  Ｃｏｕｐｌｅｄ  Ｄｅｖｉｃｅ）を主走査方向のサイズ検出に用いるものがある。
【０００３】
ＣＣＤを原稿のサイズ検出に用いる方法としては、原稿載置台の下側から原稿に向けて光源から光を照射させ、その反射光をＣＣＤで読み取って原稿の主走査方向のサイズを検出する。この方法では、例えば、原稿カバーを完全に閉じる前の状態と原稿カバーが完全に閉じられた状態の両方の状態において、原稿に光源からの光を照射し、その反射光をＣＣＤで読み取る。こうして読み取ったデータにおいて、白データに相当する領域を原稿領域、黒領域を原稿外領域と判別する。そして、原稿カバーを完全に閉じる前の状態と原稿カバーが完全に閉じられた状態の２つの読取データを比較することで原稿のサイズ検出精度を上げる技術がある（特許文献１）。
【先行技術文献】
【特許文献】
【０００４】
【特許文献１】特開平９−１９１３７０号公報
【発明の概要】
【発明が解決しようとする課題】
【０００５】
しかしながら、読取センサを走査させながら原稿画像を読み取る場合、読取時の走査速度を一定に保つために、原稿に対する読取りを開始する位置よりも走査方向上流側の位置に走査開始位置を設けなければならない。従来の読取センサは、原稿カバーが開いた状態のままであれば、ユーザによる読み取り開始の指示を受け付けてからサイズを検出する。従って、サイズ検知後に走査開始位置へ移動してから画像の読取りを行う場合、ユーザによる読取開始の指示を受け付けてから実際に画像の読取りが開始されるまでに時間がかかっていた。
【０００６】
本発明の目的は、このような従来の問題点を解決することにある。上記の点に鑑み、本発明は、原稿の読取を開始するまでの時間を短縮する画像読取装置、画像形成装置、および制御方法を提供することを目的とする。
【課題を解決するための手段】
【０００７】
上記課題を解決するため、本発明に係る画像読取装置は、原稿台上に載置される原稿の画像を読み取り可能な読取手段と、原稿台を覆う原稿カバーの開閉状態を検知する開閉検知手段と、前記開閉検知手段によって前記原稿カバーの開状態が検知されたことに応じて、前記読取手段の読取結果から前記原稿台上の原稿のサイズを検出する検出手段と、前記検出手段により前記原稿のサイズを検出するサイズ検出位置と、読取待機位置とに前記読取手段を移動可能であって、前記検出手段によるサイズの検出がなされた後、前記読取手段を前記サイズ検出位置から前記読取待機位置へ移動させる移動手段とを備えることを特徴とする。
【発明の効果】
【０００８】
本発明によれば、原稿の読取を開始するまでの時間を短縮することができる。
【図面の簡単な説明】
【０００９】
【図１】画像読取装置の内部構成を示すブロック図である。
【図２】画像形成装置を示す概略斜視図である。
【図３】画像読取装置の平面図である。
【図４】原稿サイズ検知の場合の読取部の位置を示す図である。
【図５】原稿サイズ検知位置を示す図である。
【図６】原稿サイズを決定するためのテーブルを示す図である。
【図７】読取開始制御の処理を示すフローチャートである。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１１】
［第１の実施形態］
図１は、本実施形態における画像読取装置の内部構成を示すブロック図である。画像読取装置１０は、ＣＰＵ１０１と、ＲＡＭ１０２と、ＲＯＭ１０３と、通信インタフェース（Ｉ／Ｆ）１０４と、パネル操作部１０５と、印刷制御部１０６と、画像読取部１０７と、原稿カバー開閉センサ１０８と、スキャンモータ１０９と、を有する。
【００１２】
ＣＰＵ１０１は、画像読取装置１０全体を統括的に制御する。ＲＡＭ１０２は、汎用的なＲＡＭであり、ＣＰＵ１０１の作業領域及びデータの一時記憶領域として用いられる。ＲＯＭ１０３は、汎用的なＲＯＭであり、画像読取装置１０を駆動するためのファームウェアプログラムや、ファームウェアプログラムを制御するためのブートプログラムを記憶し、ＣＰＵ１０１によってＲＡＭ１０２に読み出されて実行される。通信Ｉ／Ｆ１０４は、外部のコンピュータ端末装置等と有線や無線等のネットワーク媒体を介して接続し、データやジョブ等が送信される。パネル操作部１０５は、パネルや入力キー等を有し、ユーザによる画像読取装置１０の各種設定操作を受付けたり、ユーザインタフェース画面等を表示したりする。
【００１３】
印刷制御部１０６は、外部から受信した画像データや、画像読取部１０７で原稿を読み取った画像データを印刷部に供給する。印刷部は、図２の画像形成装置２０の装置本体２００に対応し、インクジェット記録方式や電子写真方式等の記録方式により記録媒体に記録を行う。画像読取部１０７は、読取センサ及びＬＥＤ等の光源で構成されるライン型イメージセンサである。画像読取部１０７は、原稿台上に設置された原稿を光学的に読み取って画像データを取得したり、原稿の主走査方向（ライン方向）の長さを検知したり、原稿台上の原稿の有無を検知する。
【００１４】
原稿カバー開閉センサ１０８は、原稿カバーが開閉される際に原稿カバーに連動して上下するフラグ機構と、原稿カバーの開閉角度を検知するための角度検知センサとを含んで構成されている。原稿カバー開閉センサ１０８は、原稿カバーが開いたことを検知する時や、閉じられる際に原稿カバーが原稿検知角度に到達したことを検知するために用いられる。スキャンモータ１０９は、主走査方向と直交する副走査方向に画像読取部１０７を走査させる。システムバス１００は、上記の各ブロックの間を相互に通信可能に接続する。
【００１５】
図２は、画像読取装置１０ を備えた画像形成装置２０ を示す概略斜視図である。画像形成装置２０は、装置本体２００と、装置本体２００の上部に設置された原稿読取装置（リーダ）２０１から構成される。自動原稿読取装置は、リーダ２０１と、リーダ２０１の上部に設置された自動原稿供給装置（Ａｕｔｏ  Ｄｏｃｕｍｅｎｔ  Ｆｅｅｄｅｒ：ＡＤＦ）２０２を含んで構成される。なお、リーダ２０１は、図１の画像読取装置１０に対応している。
【００１６】
本実施形態では、装置本体２００は、電子写真方式により用紙への印刷を行うプリンタとして構成されており、リーダ２０１から送られてきた画像データに基づいて、用紙上に画像を形成する。装置本体２００での用紙への印刷方式は、電子写真方式に限られず、インクジェット記録方式のような他の方式であっても良い。また、画像形成装置２０は、スキャンや印刷機能のみならず、ＦＡＸ機能やボックス機能等、複数の機能が一体化されたいわゆるＭＦＰ（ＭｕｌｔｉＦｕｎｃｔｉｏｎａｌＰｅｒｉｐｈｅｒａｌ）であっても良い。
【００１７】
ＡＤＦ２０２は、原稿トレイ２０３と原稿検知センサ２０４を備えている。原稿検知センサ２０４は、原稿トレイ２０３上に原稿束が載置されているか否かを検知する。また、ＡＤＦ２０２は、ヒンジ２０５によってユーザによる開閉操作が可能なように構成されている。ＡＤＦ２０２は、原稿台ガラス２０６上を覆う原稿カバーである。自動原稿読取装置は、原稿トレイ２０３上に原稿束が載置されていることを検知した場合、ＡＤＦ１０２が原稿束から原稿を一枚ずつ分離してリーダ２０１に供給することで読取りを行う。原稿束が載置されていない場合は、リーダ２０１は原稿台ガラス２０６上の原稿の読取りを行う。
【００１８】
装置本体２００は、操作部２０７を備えている。操作部２０７は、表示部（パネル）や入力キーを備え、ユーザが画像形成装置２０を操作する部分であり、図１のパネル操作部１０５と対応している。操作部２０７には、例えば、ユーザによるコピーやスキャン開始の指示を受け付けるためのスタートキーが設けられている。また、コピーやスキャン開始の指示を受け付けるための構成としては、パネルによるタッチディスプレイの場合もある。
【００１９】
図３は、本実施形態における画像読取装置１０の概略平面図である。原稿台ガラス２０６内（原稿が置かれる側と反対側部分）には、原稿を光学的に読取る読取部３０１、読取部３０１を駆動する駆動装置３０２、原稿台ガラス２０６上の原稿の有無とサイズを検知する原稿サイズセンサ３０３ａ及び３０３ｂ、が配置されている。
【００２０】
読取部３０１は、コンタクトガラス上に置かれた原稿に光を照射するための光源３０１ａ（ＬＥＤ等）であり、主走査方向Ｘに沿って並べて配置されている。そして、光源３０１ａが原稿に光を照射し、光電変換素子であるイメージセンサ３０１ｂが原稿から反射された光を検知することにより、原稿画像の読取りが行われる。なお、光電変換素子は、検知した光を電気信号に変換するものである。また、読取部３０１は、このような構造に限定されず、従来から知られている各種構造を採用可能である。
【００２１】
また、駆動装置３０２は、読取部３０１を主走査方向Ｘと直交する副走査方向Ｙに沿って移動させ、モータ３０２ａと、ベルト３０２ｂと、ガイドレール３０２ｃとを備える。ガイドレール３０２ｃは、副走査方向Ｙに沿って配置されている。読取部３０１は、駆動装置３０２のモータ３０２ａの駆動により、ベルト３０２ｂを介しガイドレール３０２ｃに沿って移動が可能である。この構成により、読取部３０１は、副走査方向Ｙに沿って往復移動が可能である。
【００２２】
原稿サイズセンサ３０３ａ及び３０３ｂは、原稿台ガラス２０６上の原稿の有無とサイズを検知する。原稿サイズセンサ３０３ａ及び３０３ｂは、外来光の受光結果から原稿の有無を検知したり、ＬＥＤ等からの光源から照射され原稿で反射された光をＣＣＤなどのイメージセンサにより検知することにより、原稿台ガラス２０６上の原稿の有無を検知する。また、原稿サイズセンサ３０３ａ及び３０３ｂは、副走査方向Ｙ（読取部３０１の移動方向）に複数個並べて配置されており、原稿有と検知したセンサの位置から原稿のサイズが検知される。
【００２３】
図４は、本実施形態における原稿サイズ検知の場合の読取部３０１の位置を示す図である。原稿のサイズを検知する場合には、ＣＰＵ１０１は、原稿台ガラス２０６上の読取領域上のサイズ検知位置４０３に読取部３０１を移動させて、原稿サイズ検知を行い、原稿サイズ検知が終了すると、読取待機位置４０１に移動させる。読取待機位置４０１は、読取部３０１が原稿台ガラス２０６上の原稿を読取る際の走査方向においてサイズ検知位置４０３よりも上流側であって、原稿台ガラス２０６上の読取領域外に位置する。そのような配置により、原稿読取のために、ＣＰＵ１０１が読取部３０１の移動を開始させた場合、読取部３０１が読取領域に到達した際に、読取部３０１の移動速度を一定とすることができる。原稿カバーが閉じており、何も処理を行う必要のない場合には、読取部３０１は、原稿カバー閉時の待機位置４０２（ホームポジション）においてジョブの実行を待機する。
【００２４】
原稿サイズを決定する方法として、図５の原稿サイズ検知位置を示す図と、図６ のサイズ検知テーブルを示す図を参照しながら説明する。図６に示すテーブルのように、センサ３０３ａ及び３０３ｂの検知状態の組み合わせに対して、複数の原稿サイズ候補が存在する。そのため、原稿サイズを決定するために、読取部３０１に搭載されたイメージセンサ３０１ｂを使用して主走査方向Ｘのサイズを検知することにより、最終的な原稿サイズを決定する。主走査方向Ｘのサイズ検出方法は、光源を消灯して外来光の受光結果から検出する方法や、光源を点灯して原稿カバー（ＡＤＦ２０２）の開閉角度により原稿カバーが閉じきる前の開状態の反射光の輝度とほぼ閉じきった後の閉状態の反射光の輝度との輝度差を比較する方法等がある。
【００２５】
本実施形態では、原稿カバー（ＡＤＦ２０２）の開状態が検知された場合に、外来光の受光結果から原稿サイズを検出する。この場合、ＣＰＵ１０１は、光源を消灯してサイズ検知位置４０３へ移動した読取部３０１のイメージセンサ３０１ｂやセンサ３０３ａ及び３０３ｂの検知状態の組み合わせから、外来光を受光しなかった部分を原稿が載置されている領域として、原稿のサイズを検知することができる。
【００２６】
例えば、原稿が載置されている部分については、原稿カバー（ＡＤＦ２０２）が開状態である場合、外来光が原稿によって遮られるため、イメージセンサ３０１ｂやセンサ３０３ａ及び３０３ｂは光を受光しない。しかしながら、原稿が載置されていない部分については、原稿カバーが開状態のときには、外来光を遮る媒体が存在しないため、イメージセンサ３０１ｂやセンサ３０３ａ及び３０３ｂが外来光を受光する。従って、原稿が載置されている部分と載置されていない部分において、イメージセンサ３０１ｂやセンサ３０３ａ及び３０３ｂが受光する外来光の輝度に差が生じる。
【００２７】
以上のように、原稿カバーの開状態における外来光を検出することにより、原稿の端部の位置を特定する。本実施形態では、例えば、複数のイメージセンサ３０１ｂのうち、原稿の端部の位置を特定するために用いるイメージセンサ３０１ｂを複数箇所、例えば、図５のＡ〜Ｄの４か所、予め定めておく。そして、当該４か所においてどの位置においてセンサが外来光を検出しているかに応じて、主走査方向Ｘの原稿サイズを決定する。
【００２８】
ここで、原稿カバーが開状態である場合に、センサ３０３ａ及び３０３ｂが両方ともＯＮであるとする。そして、主走査方向で外来光が検出されなかった位置がＡであるとする。その場合には、図６のテーブルから原稿サイズは、「ＳＴＭＴ−Ｒ  Ａ５−Ｒ」と決定される。また、主走査方向で外来光が検出されなかった位置がＡとＢであれば、原稿サイズは、「ＳＴＭＴ  Ａ５」と決定される。また、主走査方向で外来光が検出されなかった位置がＡ、Ｂ、Ｃであれば、原稿サイズは、「ＬＴＲ  Ｂ５」と決定される。また、主走査方向で外来光が検出されなかった位置がＡ、Ｂ、Ｃ、Ｄであれば、原稿サイズは、「Ａ４」と決定される。
【００２９】
また、原稿カバーが開状態である場合に、センサ３０３ａがＯＦＦであり、センサ３０３ｂがＯＮであるとする。そして、主走査方向で外来光が検出されなかった位置がＡとＢであれば、原稿サイズは、「ＬＴＲ−Ｒ  Ａ４−Ｒ」と決定される。
【００３０】
また、原稿カバーが開状態である場合に、センサ３０３ａ及び３０３ｂが両方ともＯＦＦであるとする。そして、主走査方向で外来光が検出されなかった位置がＡとＢであれば、原稿サイズは、「ＬＧＬ」と決定される。また、主走査方向で外来光が検出されなかった位置がＡ、Ｂ、Ｃであれば、原稿サイズは、「ＬＤＲ  Ｂ４」と決定される。また、主走査方向で外来光が検出されなかった位置がＡ、Ｂ、Ｃ、Ｄであれば、原稿サイズは、「Ａ３」と決定される。
【００３１】
図７は、本実施形態における読取制御の処理を示すフローチャートである。図７の各処理は、例えば、ＣＰＵ１０１がＲＯＭ１０３に記憶されたプログラムをＲＡＭ１０２に読み出して実行することにより実現される。
【００３２】
Ｓ７０１において、ＣＰＵ１０１は、原稿カバー開閉センサ１０８により、原稿カバーが開状態であるか若しくは閉状態であるかを判定する。開状態であると判定された場合、Ｓ７０２において、ＣＰＵ１０１は、読取部３０１を図４の原稿サイズ検知位置４０３に移動させる。閉状態であると判定された場合、原稿カバーが開状態であると判定されるまでＳ７０１の処理を繰り返す。
【００３３】
Ｓ７０３において、ＣＰＵ１０１は、原稿サイズ検知位置４０３において、読取部３０１により、原稿が原稿台ガラス２０６上に載置されているか否かを判定する。ここでは、センサの検出位置にて外来光を受光していない部分がある場合を原稿有と判定する。原稿台ガラス２０６上に原稿が載置されていると判定された場合、Ｓ７０４に進み、原稿が載置されていないと判定された場合、Ｓ７０３からの処理を繰り返す。
【００３４】
Ｓ７０４において、イメージセンサ３０１ｂにより読み取られる外来光の光量の検知結果に基づいて、ＣＰＵ１０１は、原稿サイズの決定処理を行う。即ち、ＣＰＵ１０１は、センサ３０３ａ及び３０３ｂの検知状態と、図５の原稿サイズ検知位置Ａ〜Ｄにおけるイメージセンサ３０１ｂの検知状態との組み合わせに基づき図６のテーブルを参照して、原稿サイズを決定する。
【００３５】
本実施形態では、原稿カバーが開状態であることを検知した場合に、ユーザからの読取開始指示の有無に関わらず原稿サイズの決定を行う。これにより、ユーザからの読取開始指示を受け付けなくても、原稿サイズの決定を行い、読取待機位置に読取部３０１を移動させることができる。そのため、ユーザからの読取開始指示を受け付けた後すぐに原稿画像の読取りを行うことができ、従来に比べて原稿の読取開始までの時間を短縮することができる。
【００３６】
Ｓ７０５において、ＣＰＵ１０１は、原稿サイズが決定されたか否かを判定する。原稿サイズが決定されたと判定された場合、Ｓ７０６に進み、原稿サイズが決定されていないと判定された場合、Ｓ７１１に進む。
【００３７】
Ｓ７０６において、ＣＰＵ１０１は、決定された原稿サイズをＲＡＭ１０２等の記憶部に保存し、Ｓ７０７において、読取部３０１を図４の読取待機位置４０１へ移動させる。Ｓ７０８において、ＣＰＵ１０１は、決定された原稿サイズに変化があるか否かを判定する。Ｓ７０８では、例えば、原稿カバーの開閉操作を検知した場合に、ＣＰＵ１０１は、原稿サイズに変化があると判定するようにしても良い。
【００３８】
一方、Ｓ７０５で原稿サイズが決定されていないと判定された場合、Ｓ７１１において、ＣＰＵ１０１は、原稿サイズが不定であるとし、Ｓ７１２において読取部３０１を図４の読取待機位置４０１に移動させる。例えば、読取部３０１のイメージセンサ３０１ｂの検知結果からでは、原稿サイズが決定不可能な場合等に、Ｓ７１１の処理が行われる。
【００３９】
Ｓ７１３において、ＣＰＵ１０１は、パネル操作部１０５に、ユーザに原稿サイズを入力させるためのユーザインタフェース画面を表示させる。そして、Ｓ７１４において、ＣＰＵ１０１は、原稿サイズが入力されたか否かを判定し、原稿サイズが入力されたと判定された場合、Ｓ７０８に進む。一方、原稿サイズが入力されていないと判定された場合、Ｓ７１４の処理を繰り返す。
【００４０】
Ｓ７０８で、決定された原稿サイズに変化がないと判定された場合、Ｓ７０９において、ＣＰＵ１０１は、コピースタートキーやスキャンキーの押下等により読取指示がされたか否かを判定する。一方、Ｓ７０８で、決定された原稿サイズに変化があると判定された場合、Ｓ７１５において、ＣＰＵ１０１は、読取部３０１を再度、図４の原稿サイズ検知位置４０３へ移動させ、Ｓ７０３からの処理を繰り返す。
【００４１】
Ｓ７０９で読取開始の指示がされたと判定された場合、Ｓ７１０において、ＣＰＵ１０１は、読取部３０１を駆動して原稿の読取処理を開始し、その後、図７の処理を終了する。一方、Ｓ７０９で読取開始の指示がされていないと判定された場合、Ｓ７０８からの処理を繰り返し、引き続き、原稿載置状態を監視する。図７の処理後は、読取部３０１により原稿が読み取られた読取データに基づいて、印刷やＦＡＸ送信等、画像形成装置２０が実行可能な機能が実行される。
【００４２】
以上のように、本実施形態によれば、原稿カバーが開いた状態で原稿載置されると、原稿サイズ検知を行い、原稿サイズの検知終了後、直ちに、読取部３０１を図４の読取待機位置４０１に移動させる。その結果、ユーザが読取開始の指示をしてから画像の読取処理を開始するまでの時間を短縮することができる。さらに、原稿カバー（ＡＤＦ２０２）が開状態である場合に来光の受光量に基づいて原稿サイズを検出することで、原稿カバーが閉状態になる前に原稿サイズを決定することができ、より早く読取待機位置４０１へ読取部３０１を移動させることができる。
【００４３】
なお、本実施形態に限定されるものではなく、本発明の要旨を逸脱しない範囲内で種々の改良、変形が可能である。また、上述したフローチャートは単なる一例であり、該フローチャートの処理と同等の結果を得ることができるものであれば、他のフローチャートによって原稿サイズ特定処理を実現しても良い。
【符号の説明】
【００４４】
１０  画像読取装置：  １０１  ＣＰＵ：  １０２  ＲＡＭ：  １０３  ＲＯＭ
【図１】
2018037984.tif 000003
【図２】
2018037984.tif 000004
【図３】
2018037984.tif 000005
【図４】
2018037984.tif 000006
【図５】
2018037984.tif 000007
【図６】
2018037984.tif 000008
【図７】
2018037984.tif 000009